(57)【要約】【課題】利便性の向上を図ること。【解決手段】インターホンシステムは、機能部を備える。機能部は、所定の期間Ｔ１内、又は所定の期間Ｔ１よりも前に、呼出先Ｃ１を特定するための操作部（子機側操作部）に対して操作入力を行う操作者に関する情報の取得を開始する。所定の期間Ｔ１とは、操作入力に基づいて呼出先Ｃ１を呼出中である期間である。情報の取得とは、少なくとも録音を含む。【選択図】図２
2019193234.tif 000002
【特許請求の範囲】
【請求項１】
所定の期間内、又は前記所定の期間よりも前に、呼出先を特定するための操作部に対して操作入力を行う操作者に関する情報の取得を開始する機能部を備え、
前記所定の期間とは、前記操作入力に基づいて前記呼出先を呼出中である期間であり、
前記情報の取得とは、少なくとも録音を含む、
インターホンシステム。
【請求項２】
前記録音により取得した音情報に基づく報知を、前記所定の期間内に、前記呼出先の側で行う報知部を、更に備える、
請求項１に記載のインターホンシステム。
【請求項３】
前記報知部は、前記録音が実行された実行期間が前記所定の期間よりも短いとき、前記報知を繰り返し行う、
請求項２に記載のインターホンシステム。
【請求項４】
前記機能部は、前記録音の開始前、又は前記録音の実行中に、前記呼出先からの応答があれば、前記録音を中止する、
請求項１〜３のいずれか１項に記載のインターホンシステム。
【請求項５】
前記応答とは、前記操作部から前記呼出先までの経路の途中にあるドアの電気錠装置の解錠を含む、
請求項４に記載のインターホンシステム。
【請求項６】
前記録音の実行中に前記録音を行うための残り時間を、前記操作部の側において通知する通知部を、更に備える、
請求項１〜５のいずれか１項に記載のインターホンシステム。
【請求項７】
前記機能部は、前記所定の期間内に、前記呼出先からの応答がなかったとき、前記録音である第１録音とは別の第２録音を開始する、
請求項１〜６のいずれか１項に記載のインターホンシステム。
【請求項８】
記憶部を、更に備え、
前記記憶部は、前記第２録音が実行されたとき、前記第２録音により取得した第２音情報を記憶し、前記第２録音が実行されなかったとき、前記第１録音により取得した第１音情報を記憶する、
請求項７に記載のインターホンシステム。
【請求項９】
前記録音を行うか否かの設定変更に関する設定入力を受け付ける設定部を、更に備える、
請求項１〜８のいずれか１項に記載のインターホンシステム。
【請求項１０】
前記録音により取得した音情報に基づく報知を、前記呼出先の側で行う報知部を、更に備え、
前記設定部は、前記報知を行うか否かの設定変更に関する設定入力を更に受け付ける、
請求項９に記載のインターホンシステム。
【請求項１１】
前記操作部の側において、前記呼出先を呼出中であることを知らせる確認音を出力する出力部を、更に備え、
前記出力部は、前記録音の実行が終了した時点で前記呼出先の呼出が継続されるときに前記確認音の出力を開始する、
請求項１〜１０のいずれか１項に記載のインターホンシステム。
【請求項１２】
前記機能部は、前記所定の期間の開始をトリガーとして、前記録音を開始する、
請求項１〜１１のいずれか１項に記載のインターホンシステム。
【請求項１３】
前記情報の取得とは、録画を更に含む、
請求項１〜１２のいずれか１項に記載のインターホンシステム。
【請求項１４】
インターホンシステムの制御方法であって、
所定の期間内、又は前記所定の期間よりも前に、呼出先を特定するための操作部に対して操作入力を行う操作者に関する情報の取得を開始する機能ステップを、
含み、
前記所定の期間とは、前記操作入力に基づいて前記呼出先を呼出中である期間であり、
前記情報の取得とは、少なくとも録音を含む、
制御方法。
【請求項１５】
コンピュータシステムに請求項１４に記載の制御方法を実行させる、
プログラム。
【発明の詳細な説明】
【技術分野】
【０００１】
本開示は、一般に、インターホンシステム、制御方法、及びプログラムに関する。本開示は、より詳細には、操作部から呼出先の呼出が行われるインターホンシステム、当該インターホンシステムの制御方法、及びプログラムに関する。
【背景技術】
【０００２】
特許文献１には、インターホンシステムが記載されている。このインターホンシステムは、住戸の外玄関や集合住宅の共用玄関（ロビー）等に設置されるカメラ付きの子機と、住戸内に設置されてインターホン子機との間で通話を行う親機とで構成されている。
【０００３】
特許文献１に記載のインターホンシステムでは、来訪者の呼出操作時に子機の撮像部で撮像した短時間の画像であるイントロ画像と、来訪者の呼出操作後に撮像部で撮像するリアルタイムの画像とを合成し、合成後の画像を親機の表示部に表示させている。
【先行技術文献】
【特許文献】
【０００４】
【特許文献１】特開２０１２−１５９７４号公報
【発明の概要】
【発明が解決しようとする課題】
【０００５】
ところで、呼出先である親機の側では、呼出元（子機）で呼出操作を行った操作者（例えば来訪者）に関する情報を、より早いタイミングで知りたいという要望があるが、操作者の画像表示では親機の傍まで行くという手間が生じ得る。
【０００６】
本開示は上記事由に鑑みてなされ、利便性の向上を図ることができるインターホンシステム、制御方法、及びプログラムを提供することを目的とする。
【課題を解決するための手段】
【０００７】
本開示の一態様に係るインターホンシステムは、機能部を備える。前記機能部は、所定の期間内、又は前記所定の期間よりも前に、呼出先を特定するための操作部に対して操作入力を行う操作者に関する情報の取得を開始する。前記所定の期間とは、前記操作入力に基づいて前記呼出先を呼出中である期間である。前記情報の取得とは、少なくとも録音を含む。
【０００８】
本開示の一態様に係る制御方法は、インターホンシステムの制御方法である。前記制御方法は、所定の期間内、又は前記所定の期間よりも前に、呼出先を特定するための操作部に対して操作入力を行う操作者に関する情報の取得を開始する機能ステップを含む。前記所定の期間とは、前記操作入力に基づいて前記呼出先を呼出中である期間である。前記情報の取得とは、少なくとも録音を含む。
【０００９】
本開示の一態様に係るプログラムは、コンピュータシステムに上記制御方法を実行させる。
【発明の効果】
【００１０】
本開示によれば、利便性の向上を図ることができる、という利点がある。
【図面の簡単な説明】
【００１１】
【図１】図１Ａは、本開示の一実施形態に係るインターホンシステムの構成を示すブロック図である。図１Ｂは、同上のインターホンシステムにおける子機側制御部の構成を示すブロック図である。
【図２】図２は、同上のインターホンシステムの動作を説明するためのタイミング図である。
【図３】図３Ａ及び図３Ｂは、同上のインターホンシステムにおける子機の表示部で出力される案内画像の概念図である。
【図４】図４Ａ〜図４Ｃは、同上のインターホンシステムにおける子機の表示部で出力される案内画像の概念図である。
【図５】図５Ａ及び図５Ｂは、同上のインターホンシステムにおける子機の表示部で出力される案内画像の概念図である。
【図６】図６Ａ〜図６Ｃは、同上のインターホンシステムにおける親機が呼出中にあるときの概念図である。
【図７】図７は、同上のインターホンシステムの変形例１における動作を説明するためのタイミング図である。
【図８】図８は、同上のインターホンシステムの変形例２における動作を説明するためのタイミング図である。
【図９】図９は、同上のインターホンシステムの変形例３における動作を説明するためのタイミング図である。
【発明を実施するための形態】
【００１２】
（１）概要
以下の実施形態において説明する図１Ａ〜図９は、模式的な図であり、図１Ａ〜図９中の各構成要素の大きさや厚さそれぞれの比が、必ずしも実際の寸法比を反映しているとは限らない。
【００１３】
本実施形態に係るインターホンシステム１０は、例えばマンション等の集合住宅に適用される集合住宅用のインターホンシステムである。インターホンシステム１０では、図１Ａに示すように、子機１と各親機２とが制御装置３を介して通信を行う。ただし、本実施形態に係るインターホンシステム１０は、集合住宅以外に、戸建住宅に適用されてもよい。あるいは、インターホンシステム１０は、事務所、店舗、学校若しくは介護施設等の非住宅施設等に適用されてもよい。
【００１４】
本実施形態に係るインターホンシステム１０は、機能部Ｆ１を備える。ここでは、一例として、機能部Ｆ１は、図１Ｂに示すように、子機１（図１Ａ参照）における子機側制御部１３に設けられていることを想定する。すなわち、子機側制御部１３が、機能部Ｆ１としての機能を有している。子機１は、例えば、ロビー等の集合住宅の共用部に設置される共用端末（ロビーインターホン）である。子機１は、例えば複数棟にわたって親機２との間で通信（例えば、通話、及び映像信号の送信等）を行うように構成されてもよい。
【００１５】
機能部Ｆ１は、所定の期間Ｔ１（図２参照）内、又は所定の期間Ｔ１よりも前に、呼出先Ｃ１を特定するための操作部（子機側操作部１４）に対して操作入力を行う操作者Ｈ１（図３Ａ参照：例えば来訪者等）に関する情報の取得を開始する。なお、図３Ａでは、子機１の撮像部１１で撮像されている操作者Ｈ１自身の映像が表示部１８の表示画面１８０に出力されている。
【００１６】
所定の期間Ｔ１とは、操作入力に基づいて呼出先Ｃ１を呼出中である期間である。情報の取得とは、少なくとも録音を含む。ここでは、一例として、情報の取得（録音）の開始が、所定の期間Ｔ１（図２参照）内であることを想定する。
【００１７】
この構成によれば、少なくとも録音が、呼出中の所定の期間Ｔ１内又は呼出よりも前に開始される。そのため、録音により取得した音情報を利用（例えば報知）することで、利用者（例えば住人）は、より早いタイミングで操作者Ｈ１に関する情報を知ることができる。したがって、利便性の向上を図ることができる。
【００１８】
（２）詳細
次に、本実施形態に係るインターホンシステム１０についてより詳細に説明する。
【００１９】
（２．１）全体構成
本実施形態に係るインターホンシステム１０は、図１Ａに示すように、子機１と、複数台（図１Ａでは２台）の親機２と、制御装置３と、複数台（図１Ａでは２台）のドアホン４と、複数台（図１Ａでは２台）の分岐器５と、を備えている。
【００２０】
複数台の親機２の各々は、例えば、集合住宅の各住戸内に設置される住戸端末である。各親機２は、子機１との間で通信（例えば、通話、及び映像信号の受信等）を行うように構成されている。各親機２は、子機１の撮像部１１で撮影された映像を表示する表示部２２を有している。親機２は、集合住宅の管理室及び多目的ルーム等にも設置されてもよい。多目的ルームは、例えば、集会場、ゲストルーム、キッズルーム、パーティールーム等の、集合住宅内の共用部施設である。
【００２１】
制御装置３は、子機１と各親機２との間において、呼出制御を行い、信号を中継するように構成されている。制御装置３は、例えば、管理室に設置されている。制御装置３は、例えば、来訪者が子機１を用いて親機２を呼び出したときに、子機１と親機２との間で送受信される信号を中継する。
【００２２】
複数台のドアホン４の各々は、例えば、集合住宅の各住戸の外玄関に設置されている。複数台のドアホン４は、複数台の親機２と一対一に対応している。各ドアホン４は、対応する親機２との間で通信（例えば、通話、及び映像信号の送信等）を行うように構成されている。なお、多目的ルーム等に設置されている親機２に対しては、ドアホン４が接続されてなくてもよい。
【００２３】
子機１は、第１幹線６１を介して制御装置３に接続されている。複数台の分岐器５の各々は、第２幹線６２に挿入されており、第２幹線６２に対して複数台の親機２を接続可能にする。本実施形態では、第２幹線６２から複数の分岐線６３に分岐しており、複数台の分岐器５は、第２幹線６２における複数の分岐線６３の分岐点にそれぞれ設けられている。これにより、各親機２は、分岐器５を介して第２幹線６２に対して接続可能になる。
【００２４】
各親機２は、第２幹線６２、分岐線６３及び分岐器５を介して制御装置３に接続されている。各ドアホン４は、接続線６４を介して対応する親機２に接続されている。第１幹線６１、第２幹線６２、分岐線６３及び接続線６４の各々は、例えば、ツイストペアケーブルからなる。
【００２５】
（２．２）子機
（２．２．１）子機の全体構成
次に、子機１の構成について説明する。子機１は、図１Ａに示すように、撮像部１１と、子機側伝送部１２と、子機側制御部１３と、子機側操作部１４と、映像処理部１５と、記憶部１６と、センサ１７と、表示部１８と、を有している。さらに、子機１は、親機２との間で通話を実現するための通話部１９（スピーカ及びマイクロホンを含む）等を有している。また、子機１は、上述した構成要素を収容又は保持する筐体（不図示）を有している。
【００２６】
撮像部１１は、撮像素子を有し、被写体を撮像するためのカメラである。ここでは被写体は、来訪者等の操作者Ｈ１とする。本実施形態では、操作者Ｈ１が子機１を操作する際に少なくとも操作者Ｈ１の顔を撮像できるように、撮像部１１の撮像エリア（視野）は、子機１の前方に設定されている。本実施形態では、撮像部１１は動画を撮像するカメラである。さらに、本実施形態では、撮像部１１はカラー画像を撮像するカメラである。
【００２７】
撮像素子は、例えば、ＣＣＤ（Charge Coupled Devices）イメージセンサ、又はＣＭＯＳ（Complementary Metal-Oxide Semiconductor）イメージセンサ等の二次元イメージセンサである。撮像部１１は、被写体からの光をレンズ等の光学系によって撮像素子の撮像面（受光面）上に結像させ、撮像素子にて被写体からの光を電気信号に変換する。そして、撮像部１１は、撮像素子の出力信号を映像信号として映像処理部１５へ出力する。
【００２８】
子機側伝送部１２は、親機２と通信するための通信インタフェースである。子機側伝送部１２は、第１幹線６１を介して制御装置３に接続されている。図１Ａでは、第１幹線６１を１本の線で示している。子機側伝送部１２は、制御装置３の通信部３２を介して、親機２との間で双方向に通信可能に構成されている。子機側伝送部１２は、親機２に対して通信信号を送信するように構成されている。通信信号には、音声信号、映像信号及び制御信号等が含まれている。また、子機側伝送部１２は、通信部３２を介して親機２から送信される通信信号を受信し、受信した通信信号を復調することで音声信号等を取得する。音声信号は、子機側制御部１３を介して通話部１９へ出力される。
【００２９】
子機側操作部１４は、人（操作者Ｈ１）の操作を受け付けるように構成されている。子機側操作部１４は、例えば、複数の押しボタン、及びタッチパネル等を有する入力インタフェースである。複数の押しボタンは、例えば、０〜９のテンキー、アスタリスク（＊）ボタン、消ボタン、及び呼出ボタン等を有している。例えば、操作者Ｈ１が、子機１で、部屋番号（住戸番号）「１０２４号室」の住人を呼び出したい場合、テンキーの数字ボタンを順に押していき、部屋番号を入力する。入力された部屋番号は、数字ボタンを押すたびに順次、表示部１８に映し出される（図３Ｂ参照）。最後に、操作者Ｈ１が、呼出ボタンを押すことで、部屋番号の入力が確定されて、部屋番号「１０２４」の住戸の親機２に対して呼出が実行される。
【００３０】
映像処理部１５は、撮像部１１から出力される映像信号を受けて、信号処理により映像信号に含まれる映像を処理するように構成されている。映像処理部１５は、例えば、ＤＳＰ（Digital Signal Processor）又はＦＰＧＡ（Field-Programmable Gate Array）等のデバイスにて実現される。
【００３１】
センサ１７は、例えば焦電型の赤外線センサであり、人等が動く際に生じる赤外線の変化量を検出することによって人等を検出する。センサ１７は省略されていてもよい。
【００３２】
子機側制御部１３は、例えば、ＣＰＵ（Central Processing Unit）及びメモリを主構成とするマイクロコンピュータにて構成されている。そして、ＣＰＵがメモリに格納されているプログラムを実行することにより、マイクロコンピュータが子機側制御部１３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００３３】
子機側制御部１３は、撮像部１１及び子機側伝送部１２を制御するように構成されている。さらに、子機側制御部１３は、映像処理部１５及び表示部１８を制御するように構成されている。
【００３４】
子機側制御部１３は、撮像部１１を制御することによって、撮像部１１に映像を撮像させる。本実施形態では、子機側制御部１３は、例えば、センサ１７で来訪者等の人を検出すると撮像部１１を起動して人の撮像を開始する。子機側制御部１３は、表示部１８を制御することによって、部屋番号の入力を案内する案内画像に、撮像部１１で撮像中のリアルタイムの映像を重ねて、表示画面１８０に出力する（図３Ａ参照）。
【００３５】
また、子機側制御部１３は、呼出先Ｃ１である親機２を呼出前、呼出中、及び子機１と親機２との間で通信中に撮像部１１で撮像した映像を、親機２に送出する。具体的には、子機側制御部１３は、第１撮像期間Ｔ１１（図２参照）において第１映像Ｐ１を撮像させる。さらに、子機側制御部１３は、第２撮像期間Ｔ１２（図２参照）において第２映像Ｐ２を撮像させる。第１撮像期間Ｔ１１は、例えば、子機側操作部１４が来訪者等の操作者Ｈ１による操作を受け付けた時（図２の時刻ｔ１）から呼出を開始するまでの期間（例えば５秒程度）である。第２撮像期間Ｔ１２は、例えば、親機２へ第１映像Ｐ１の伝送を終えてから、通話の終了、又は呼出の終了までの期間である。第２映像Ｐ２は、いわゆるリアルタイムの映像であり、第１映像Ｐ１は、第２映像Ｐ２に対して過去の映像である。
【００３６】
子機側制御部１３は、子機側伝送部１２を制御することによって、子機側伝送部１２に親機２への通信信号を送信させ、かつ子機側伝送部１２に親機２からの通信信号を受信させる。親機２への通信信号には、音声信号、映像信号及び制御信号等が含まれている。また、親機２からの通信信号には、音声信号及び制御信号等が含まれている。
【００３７】
子機側制御部１３は、映像処理部１５を制御することによって、映像処理部１５に撮像部１１からの映像信号に含まれる映像を処理させる。映像処理部１５にて処理された映像は、子機側伝送部１２から親機２に送信される。
【００３８】
子機側制御部１３は、子機側操作部１４にて受け付けられた操作入力に応じて、各種の機能を実行するように構成されている。子機側制御部１３は、現在、表示部１８の表示画面１８０で表示中の案内画像との関係性に基づき、当該案内画像と対応する機能を実行するように構成されている。例えば、子機側制御部１３は、表示画面１８０で部屋番号の入力を催促する案内画像が表示されている最中に、数字ボタンが操作されると、入力された数字を表示画面１８０上に出力していく。そして、子機側制御部１３は、部屋番号の入力後、呼出ボタンが操作されると、呼出先Ｃ１である親機２の呼出を開始する。
【００３９】
記憶部１６は、読み書き可能なメモリで構成されている。記憶部１６は、例えばフラッシュメモリである。記憶部１６は、撮像部１１で撮像した第１映像Ｐ１及び第２映像Ｐ２を記憶（録画）する。本実施形態の記憶部１６は、子機側制御部１３の外部に設けられているが、子機側制御部１３の内部に設けられていてもよい。すなわち、記憶部１６は、子機側制御部１３の内蔵メモリであってもよい。なお、記憶部１６は、撮像部１１で撮像した第１映像Ｐ１及び第２映像Ｐ２以外にも後述する種々のデータを記憶する。
【００４０】
表示部１８は、例えば液晶ディスプレイからなる表示画面１８０を有している。表示部１８は、子機側制御部１３の制御下で、図３Ａ〜図５Ｂに示すように、基本案内画像Ｇ０、第１案内画像Ｇ１〜第６案内画像Ｇ６を出力（画像表示）する。これらの案内画像Ｇ０〜Ｇ６は、単なる一例であり、案内画像の種類の数、及びその表示内容は、特に限定されない。また、表示部１８は、子機側制御部１３の制御下で、撮像部１１で撮像される来訪者（操作者Ｈ１）自身の映像を表示する。表示部１８は、例えば、案内画像の略中央に、撮像部１１で撮像中のリアルタイムの映像を重ねて出力する（図３Ａ参照）。呼出先Ｃ１である親機２の呼出最中、又は親機２との通話中では、操作者Ｈ１の映像は、表示画面１８０に出力されず、親機２の側に出力される。
【００４１】
ここで子機側制御部１３は、図１Ｂに示すように、機能部Ｆ１としての機能、報知部１３０としての機能、通知部１３１としての機能、設定部１３２としての機能、出力部１３３としての機能を、更に有している。
【００４２】
本実施形態の機能部Ｆ１は、例えば、所定の期間Ｔ１（図２参照）内に録音を開始するように構成されている。機能部Ｆ１は、所定の期間Ｔ１の開始をトリガーとして録音を開始する。すなわち、機能部Ｆ１は、所定の期間Ｔ１の開始時、又は所定の期間Ｔ１の開始から一定の時間の経過後に、録音を開始する。ここでは、一例として、機能部Ｆ１は、所定の期間Ｔ１の開始から一定の時間の経過後に録音を開始する。なお、以下では、所定の期間Ｔ１内における録音を「第１録音」と呼ぶこともある。
【００４３】
所定の期間Ｔ１は、子機側操作部１４で指定された部屋番号（又は管理室等）に基づいて呼出先Ｃ１を呼出中である期間である。本実施形態では、所定の期間Ｔ１の開始は、例えば部屋番号を確定する呼出ボタンが押されたタイミング（時刻ｔ２）である。所定の期間Ｔ１の終了は、呼出先Ｃ１の住人が応答しなかった場合の呼出の終了タイミング（時刻ｔ６）である。所定の期間Ｔ１は、呼出先Ｃ１の住人が応答しなかった場合に、呼出が継続される最長期間である。所定の期間Ｔ１は、例えば３０秒である。もし所定の期間Ｔ１内に、呼出先Ｃ１の住人が応答した場合、呼出は終了となる。
【００４４】
本開示で言う呼出先Ｃ１の「応答」とは、親機２が子機１との通話を開始することだけでなく、子機１の子機側操作部１４から呼出先Ｃ１までの経路の途中にあるドア７の電気錠装置７０（図２参照）を解錠することも含む。ドア７は、例えば、集合住宅の共用部において子機１の近傍にある、共用玄関のドアである。操作者Ｈ１が住人の家族、親戚、又は知人等である場合、親機２と子機１間の通話が省略される場合がある。しかし、応答が電気錠装置７０の解錠も含むことで、通話による応答が省略された場合でも、無駄となり得る録音を減らすことができる。
【００４５】
（２．２．２）第１録音
以下、第１録音に関する、子機側制御部１３の機能部Ｆ１、報知部１３０、通知部１３１、設定部１３２、及び出力部１３３の機能を詳しく説明する。第１録音の開始は、所定の期間Ｔ１内であれば、どのタイミングでもよいが、呼出の開始タイミング（開始時刻ｔ２）に近いことが好ましい。第１録音は、一定期間（例えば５秒間）実行される。以下、第１録音が実際に実行された期間を、実行期間Ｔ２（図２参照）と呼ぶ。実行期間Ｔ２が最長となる期間は、上記の一定期間である。
【００４６】
ここでは、機能部Ｆ１は、第１録音の開始前、又は第１録音の実行中に、呼出先Ｃ１からの応答があれば、第１録音を中止する。つまり、第１録音の開始前に呼出先Ｃ１からの応答があれば、実行期間Ｔ２はゼロとなり、第１録音の実行中に呼出先Ｃ１からの応答があれば、実行期間Ｔ２はゼロより大きく上記の一定の期間未満となる。そのため、第１録音により費やされる資源（例えば、消費電力や、音情報を記憶するための内蔵メモリの記憶エリア）の削減を図ることができる。
【００４７】
なお、本実施形態では、第１録音の開始は、所定の期間Ｔ１の開始時刻ｔ２と同時ではなく、開始時刻ｔ２から所定の第１案内期間Ｘ１（例えば５秒間）が経過した後に開始する（図２参照）。第１案内期間Ｘ１は、第１音声メッセージ（例えば「いらっしゃいませ、お名前をお話ください」）の出力を実行して、第１録音が開始される旨を事前に報知する期間である。第１音声メッセージは、例えば、通話部１９のスピーカから出力される。また第１案内期間Ｘ１において、第１音声メッセージの出力に加えて、表示部１８の表示画面１８０においては、第２案内画像Ｇ２（図２及び図４Ａ参照）が出力される。第２案内画像Ｇ２は、文字データによる案内情報（例えば「お取次ぎしますので、お名前をお話ください」）、及び第１録音が開始されるまでの時間を示すカウントダウン情報等を含む。なお、図４Ａは、一例として、第１録音が開始されるまでの時間があと３秒であるときの様子を示している。
【００４８】
子機１で第２案内画像Ｇ２が出力されている第１案内期間Ｘ１において、親機２では、親機２の（後述する）通知部２７から呼出音Ｓ０（例えば「ポロロン、ポロロン」等）の出力が行われる。以下、呼出音Ｓ０の出力されている期間を、第１呼出期間ＣＡ１（図２参照）と呼ぶ。第１呼出期間ＣＡ１は、所定の期間Ｔ１の一部を構成する期間である。第１呼出期間ＣＡ１は、第１案内期間Ｘ１と概ね等しく、例えば５秒間である。
【００４９】
本実施形態の報知部１３０は、第１録音により取得した第１音情報に基づく報知を、所定の期間Ｔ１内に、呼出先Ｃ１の側で行うように構成されている。以下、第１録音により取得した第１音情報を「第１音データＳ１」（図２参照）と呼ぶこともある。第１音データＳ１は、操作者Ｈ１が発した音声が通話部１９のマイクロホンに入力されたものである。第１音データＳ１は、例えば、操作者Ｈ１の個人名や役職名（管理人等）を含みうる。また第１音データＳ１は、操作者Ｈ１が配達業者等であれば、操作者Ｈ１が属する会社名、団体名等を含みうる。また第１音データＳ１は、簡単なメッセージ（用件）を含みうる。なお、第１録音の実行期間Ｔ２は、比較的短い期間であるため、第１音データＳ１は、個人名、役職名、会社名、団体名、及び用件等のうち、いずれか１つか２つを含む可能性が高いデータである。
【００５０】
報知部１３０は、親機２に送信する通信信号を通じて、所定の期間Ｔ１内に、親機２の通知部２７に報知を行わせるように制御する。子機側制御部１３は、第１録音を開始すると、自身の内蔵メモリ内に、一時的に第１音データＳ１を記憶し、第１音データＳ１を親機２へ伝送する。親機２では、例えばストリーミングにより、第１音声データＳ１がリアルタイムで再生される。要するに、報知部１３０は、親機２の側において、第１音データＳ１の報知を、呼出の最中に行わせる。以下、第１音データＳ１の出力されている期間を、第２呼出期間ＣＡ２（図２参照）と呼ぶ。第２呼出期間ＣＡ２は、所定の期間Ｔ１の一部を構成する期間である。第２呼出期間ＣＡ２は、実行期間Ｔ２と概ね等しく、例えば５秒間である。第２呼出期間ＣＡ２において、呼出音Ｓ０の出力は、一時的に停止されることが好ましい。
【００５１】
更に、報知部１３０は、第１録音が実行された実行期間Ｔ２が所定の期間Ｔ１よりも短いとき、親機２の側において、上記報知を繰り返し行う。例えば、所定の期間Ｔ１が３０秒間で、第１案内期間Ｘ１及び実行期間Ｔ２がそれぞれ５秒間である場合、残りの２０秒間において、第１音データＳ１の報知が繰り返される。以下、第１音データＳ１の報知が繰り返される期間を、第３呼出期間ＣＡ３（図２参照）と呼ぶ。
【００５２】
第３呼出期間ＣＡ３は、所定の期間Ｔ１の一部を構成する期間である。第３呼出期間ＣＡ３は、所定の期間Ｔ１から第１呼出期間ＣＡ１及び第２呼出期間ＣＡ２を引いた残りの期間である。ただし、第３呼出期間ＣＡ３では、呼出音Ｓ０と第１音データＳ１とがセットとなって繰り返し出力される。すなわち、呼出音Ｓ０が出力されてその呼出音Ｓ０の後に連続して第１音データＳ１が出力されるという出力期間が、第３呼出期間ＣＡ３内に複数存在する。このように、第１音データＳ１の報知が繰り返し行われることで、呼出先Ｃ１の利用者（例えば住人）に対する報知性能を向上することができる。
【００５３】
なお、第３呼出期間ＣＡ３における報知で使用される第１音データＳ１は、最初に子機１から伝送を受けたときに親機２内に記憶されたものでもよいし、子機側制御部１３のメモリで記憶されたものが繰り返し親機２へ伝送されてもよい。
【００５４】
本実施形態の通知部１３１は、第１録音の実行中に、すなわち実行期間Ｔ２内に、第１録音を行うための残り時間を子機側操作部１４（操作部）の側において通知するように構成されている。ここでは、一例として、通知部１３１は、図４Ｂに示すように、表示部１８の表示画面１８０から円形状のタイマー画像を表示させることで、残り時間を操作者Ｈ１に通知する。具体的には、時間の経過に伴い円弧状の帯が少しずつ延びていき、最終的に残り時間がゼロになると略円の形が完成する。通知部１３１が設けられていることで、操作者Ｈ１は第１録音が終了するタイミングを知ることができ、利便性が向上する。
【００５５】
なお、時間の経過に伴い円形が少しずつ欠けていき、最終的に残り時間がゼロになると円形が消失することで、残り時間を操作者Ｈ１に通知してもよい。また、図４Ａと同様に、残り時間が数字のカウントダウンにより通知されてもよい。ただし、図４Ｂのように図形によるタイマー画像の表示を行う方が、直感的に残り時間を理解し易い。
【００５６】
本実施形態の設定部１３２は、第１録音を行うか否か（第１録音の有効、無効）の設定変更に関する設定入力を受け付けるように構成されている。例えば、表示部１８にて特定の案内画像が出力されている状態で、子機１の施工者又は管理者が、子機側操作部１４等を用いて、住人等が知らないセキュアレベルの高い特定の操作入力を行うと、子機側制御部１３は、表示部１８に設定用の案内画像を出力させる。施工者又は管理者は、設定用の案内画像に表示されている案内情報を見ながら、第１録音を行うか否かの設定変更に関する設定入力を行う。表示部１８が例えばタッチパネルディスプレイであれば、指先でのタッチ操作により、設定変更が行われてもよい。ここで設定された第１録音の有効、無効に関する情報は、記憶部１６又は子機側制御部１３の内蔵メモリに記憶される。このように設定部１３２が設けられていることで、インターホンシステム１０の設置環境又は要望等に応じて、第１録音機能の有効、無効を設定できる。
【００５７】
また本実施形態の設定部１３２は、報知部１３０による、呼出先Ｃ１（親機２）の側での報知を行うか否か（報知の有効、無効）の設定変更に関する設定入力を、更に受け付けるように構成されている。この場合も、第１録音の設定変更と同様に、施工者又は管理者は、設定用の案内画像に表示されている案内情報を見ながら、報知を行うか否かの設定変更に関する設定入力を行う。なお、上述した第１録音の設定変更と報知の設定変更は、共通の案内画像内で行えることが好ましい。ここで設定された報知の有効、無効に関する情報は、記憶部１６又は子機側制御部１３の内蔵メモリに記憶される。このように設定部１３２が設けられていることで、インターホンシステム１０の設置環境又は要望等に応じて、報知機能の有効、無効を設定できる。なお、報知の設定変更は、親機２の単位で行えてもよく、親機２の側で住人によっても行えてもよい。
【００５８】
本実施形態の出力部１３３は、子機側操作部１４の側において、呼出先Ｃ１を呼出中であることを知らせる確認音を出力するように構成されている。出力部１３３は、第１録音の実行が終了した時点で呼出先Ｃ１の呼出が継続されるときに確認音の出力を開始する。出力部１３３は、通話部１９のスピーカより、確認音を出力させる。出力部１３３は、呼出開始時に、上述の通り、「いらっしゃいませ、お名前をお話ください」という第１音声メッセージを、確認音として出力させる。また出力部１３３は、第１録音の実行が終了した時点で呼出先Ｃ１の呼出が継続されるときには、例えば「お取次しますのでこのままお待ちください」という第２音声メッセージを、確認音として出力させる。これらの音声メッセージは、記憶部１６又は子機側制御部１３の内蔵メモリに予め記憶されている。このように出力部１３３が第２音声メッセージを出力させることで、操作者Ｈ１は、第１録音の実行が終了した一方で呼出は継続しているという現在の状況を知ることができ、利便性が向上する。
【００５９】
（２．２．３）第２録音
ここで、本実施形態の機能部Ｆ１は、所定の期間Ｔ１内に、呼出先Ｃ１からの応答がなかったとき、第１録音とは別の第２録音を開始するように構成されている。以下、第２録音により取得した第２音情報を「第２音データＳ２」（図２参照）と呼ぶこともある。第２音データＳ２は、操作者Ｈ１が発した音声が例えば通話部１９のマイクロホンに入力されたものである。第２音データＳ２は、例えば、第１音データＳ１よりも情報量の多いデータを含むかもしれない。例えば、操作者Ｈ１の個人名や役職名（管理人等）と、簡単なメッセージ（用件）の両方を含むかもしれない。第２録音は、一定の期間Ｔ３（図２参照：例えば１５秒間）に実行される。一定の期間Ｔ３は、第１録音の実行期間Ｔ２よりも長い期間である。
【００６０】
第２録音の開始は、応答なしを確定する時刻ｔ６（図２参照）と同時に行われるのではなく、時刻ｔ６から所定の第２案内期間Ｘ２（例えば１０秒間）内に、操作者Ｈ１が、第２録音を行う意志を示したときのみ、そのタイミングで行われる。つまり、第２案内期間Ｘ２は、第２録音を行うか否かを操作者Ｈ１に選択させるための期間である。出力部１３３は、通話部１９のスピーカより、第３音声メッセージ（例えば「お取次ぎできませんでした、お名前とご用件を残されますか？」）を出力させる。また第２案内期間Ｘ２において、第３音声メッセージの出力に加えて、表示部１８の表示画面１８０においては、第５案内画像Ｇ５（図２及び図５Ａ参照）が出力される。第５案内画像Ｇ５は、例えば、「お取次ぎできませんでした、お名前とご用件を残されますか？」という情報、「１５秒間お話できます」という第２録音の時間を知らせる情報、並びに、「はい：呼出」及び「いいえ：消」という選択情報等を含む。
【００６１】
操作者Ｈ１は、用件を残すことを希望する場合、呼出ボタンを押すことで、第２録音が開始される。なお、図２では、第２案内期間Ｘ２の終了時点である時刻ｔ７に、呼出ボタンが押されて第２録音が開始されている。
【００６２】
操作者Ｈ１は、用件を残すことを希望しない場合、消ボタンを押すことで、第２録音はキャンセルされる。そして、案内画面は、第５案内画像Ｇ５から元の基本案内画像Ｇ０に戻る。なお、第５案内画像Ｇ５の画面状態で、第２案内期間Ｘ２の終了時点（時刻ｔ７）までに、操作者Ｈ１がどちらのボタンも押さずにそのまま立ち去った場合も、第５案内画像Ｇ５から元の基本案内画像Ｇ０に戻る。
【００６３】
このように第２録音が実行されることで、インターホンシステム１０において、この第２録音を、いわゆる留守録として利用できる。
【００６４】
ここで本実施形態では、子機側制御部１３は、第２録音が実行されたとき、第２録音により取得した第２音データＳ２（第２音情報）を、記憶部１６に記憶させる。この場合、子機側制御部１３は、第２音データＳ２を記憶部１６に記憶させたタイミングで、一時的に自身の内蔵メモリに記憶していた、第１録音による第１音データＳ１（第１音情報）を消去することが望ましい。一方、子機側制御部１３は、第２録音が実行されなかったとき、一時的に内蔵メモリに記憶していた第１録音による第１音データＳ１を、記憶部１６に記憶させる。
【００６５】
記憶部１６に記憶された音データは、留守録データとして、所定の日数（例えば一週間）が経過するまで保存され、所定の日数が経過すると消去される。また、留守録データは、親機２へも転送されて、親機２の側でも所定の日数（例えば一週間）が経過するまで保存される。利用者（例えば住人）が親機２に対して、留守録データの消去に関する操作入力を行うことで消去される。
【００６６】
このように、第２録音が実行されなくても、第１録音による第１音データＳ１が、記憶部１６に記憶されるので、第１録音を第２録音の代わりに留守録として利用できる。特に、住人の留守中に来訪があったにも関わらず第２録音が実行されなかった場合に、第２録音に比べると情報量は少ない可能性が高いものの、来訪者の用件をある程度に推測できる可能性のある情報を通知できる。
【００６７】
（２．３）親機の構成
次に、親機２の構成について説明する。親機２は、図１Ａに示すように、親機側伝送部２１と、表示部２２と、親機側制御部２３と、親機側操作部２４と、映像処理部２５と、記憶部２６と、通知部２７と、を有している。さらに、親機２は、子機１及びドアホン４との間で通話を実現するための通話部２９（スピーカ及びマイクロホンを含む）等を有している。
【００６８】
親機側伝送部２１は、子機１及びドアホン４と通信するための通信インタフェースである。親機側伝送部２１は、第２幹線６２、分岐線６３及び分岐器５を介して制御装置３に接続されている。図１Ａでは、第２幹線６２及び分岐線６３を１本の線で示している。親機側伝送部２１は、制御装置３の通信部３２を介して、子機１との間で双方向に通信可能に構成されている。親機側伝送部２１は、子機１に対して通信信号を送信するように構成されている。通信信号には、音声信号及び制御信号等が含まれている。また、親機側伝送部２１は、通信部３２を介して子機１から送信される通信信号を受信し、受信した通信信号を復調することで音声信号及び映像信号等を取得する。音声信号は、親機側制御部２３を介して通話部２９へ出力され、映像信号は、親機側制御部２３を介して表示部２２へ出力される。
【００６９】
表示部２２は、映像処理部２５からの映像（例えば子機１の撮像部１１で撮像された映像）を表示するように構成されている。表示部２２は、例えば液晶ディスプレイである。親機２がタッチパネルディスプレイを備えている場合には、タッチパネルディスプレイが表示部２２と親機側操作部２４とを兼ねてもよい。
【００７０】
親機側操作部２４は、人（例えば住人）の操作を受け付けるように構成されている。親機側伝送部２１が住人を呼び出すための呼出信号を受信している状態で、親機側操作部２４に対して所定の操作（例えば押し操作）が行われると、子機１と親機２との間で音声通話が可能な状態となる。
【００７１】
映像処理部２５は、親機側伝送部２１にて受信した子機１からの映像信号を受けて、信号処理により映像信号に含まれる映像を処理するように構成されている。映像処理部２５は、例えば、複数の映像を合成する合成処理を行うように構成されている。本実施形態では、映像処理部２５は、合成処理において、過去の映像である第１映像Ｐ１とリアルタイムの映像である第２映像Ｐ２とを合成して１つの映像を作成する。映像処理部２５は、例えば、ＤＳＰ又はＦＰＧＡ等のデバイスにて実現される。
【００７２】
親機側制御部２３は、例えば、ＣＰＵ及びメモリを主構成とするマイクロコンピュータにて構成されている。そして、ＣＰＵがメモリに格納されているプログラムを実行することにより、マイクロコンピュータが親機側制御部２３として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００７３】
親機側制御部２３は、親機側伝送部２１及び表示部２２を制御するように構成されている。さらに、親機側制御部２３は、映像処理部２５を制御するように構成されている。親機側制御部２３は、親機側伝送部２１を制御することによって、親機側伝送部２１に子機１への通信信号を送信させ、かつ親機側伝送部２１に子機１からの通信信号を受信させる。子機１への通信信号には、音声信号及び制御信号等が含まれている。また、子機１からの通信信号には、音声信号、映像信号及び制御信号等が含まれている。
【００７４】
親機側制御部２３は、表示部２２を制御することによって、子機１から送られてくる映像を表示部２２に表示させる。本実施形態では、過去の映像である第１映像Ｐ１とリアルタイムの映像である第２映像Ｐ２とを合成した１つの映像を表示部２２に表示させる。例えば、親機側制御部２３は、表示部２２の表示画面において、第１映像Ｐ１を小さく表示させ、第２映像Ｐ２を大きく表示させる。
【００７５】
記憶部２６は、読み書き可能なメモリで構成されている。記憶部２６は、例えばフラッシュメモリである。記憶部２６は、子機１から送られてきた第１映像Ｐ１及び第２映像Ｐ２を記憶する。本実施形態では、記憶部２６は、親機側制御部２３の外部に設けられているが、親機側制御部２３の内部に設けられていてもよい。すなわち、記憶部２６は、親機側制御部２３の内蔵メモリであってもよい。
【００７６】
通知部２７は、例えば呼出音Ｓ０を出力するように構成されている。親機側制御部２３は、子機１からの呼び出しがあると、所定のタイミングで通知部２７に呼出音Ｓ０を出力させる。言い換えると、親機側制御部２３は、子機１からの呼び出しがあると、子機１からの呼び出しがあったことを通知する通知動作を通知部２７に行わせる。更に、通知部２７は、呼出音Ｓ０だけではなく、上述した子機１の側で録音された第１音データＳ１を出力するように構成されている。第１音データＳ１は、通話部２９のスピーカから出力されてもよい。第１音データＳ１は、記憶部２６又は内蔵メモリに記憶される。
【００７７】
（２．４）制御装置の構成
次に、制御装置３の構成について説明する。制御装置３は、図１Ａに示すように、信号処理部３１と、通信部３２と、を有している。
【００７８】
通信部３２は、子機１及び親機２と通信するための通信インタフェースである。通信部３２は、第１幹線６１を介して子機１に接続されている。また、通信部３２は、第２幹線６２、分岐線６３及び分岐器５を介して親機２に接続されている。通信部３２は、子機１の子機側伝送部１２との間で双方向に通信可能に構成されている。また、通信部３２は、親機２の親機側伝送部２１との間で双方向に通信可能に構成されている。つまり、通信部３２は、親機側伝送部２１と子機側伝送部１２との間の通信を中継するように構成されている。したがって、通信部３２は、子機１の子機側伝送部１２から送信される通信信号を中継して複数台の親機２に送信する。ここで、子機１から送信される通信信号には、送信先となる親機２を特定するための情報（例えばアドレス等）が含まれている。このため、複数台の親機２のうち自己に割り当てられたアドレスと通信信号に含まれるアドレスとが一致する親機２のみが通信信号を受信することができる。また、通信部３２は、複数台の親機２の各々から送信される通信信号を中継して子機１に送信する。
【００７９】
信号処理部３１は、例えば、ＣＰＵ及びメモリを主構成とするマイクロコンピュータにて構成されている。そして、ＣＰＵがメモリに格納されているプログラムを実行することにより、マイクロコンピュータが信号処理部３１として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００８０】
信号処理部３１は、通信部３２を制御するように構成されている。具体的には、信号処理部３１は、通信部３２を制御することによって、子機１から送信される通信信号を複数台の親機２に送信させ、かつ複数台の親機２の各々から送信される通信信号を子機１に送信させる。
【００８１】
（２．５）インターホンシステムの動作
以下、インターホンシステム１０の動作について図２〜図６Ｃを参照しながら説明する。以下の説明では、呼出元Ｃ０である子機１からの呼び出しに対して呼出先Ｃ１である親機２の応答がない場合を想定する。なお、図２の下部で「応答可能」に示すように、親機２は、時刻ｔ２〜ｔ６内であればいずれのタイミングでも子機１との通話を開始できる。
【００８２】
まず、子機１のセンサ１７が、時刻ｔ０で来訪者を検出すると、子機１は、撮像部１１を起動し、表示部１８の表示画面１８０にて、図３Ａに示す基本案内画像Ｇ０を出力する。基本案内画像Ｇ０は、部屋番号の入力を催促する文字案内情報を含む。また、基本案内画像Ｇ０には、来訪者自身の映像が重ねて出力される。
【００８３】
続いて時刻ｔ１で、操作者Ｈ１（来訪者）が、基本案内画像Ｇ０に従い、子機側操作部１４を用いて部屋番号の入力を開始したとする（図示例では１０２４号室）。部屋番号の入力の開始をトリガーとして、子機１は、撮像部１１にて、第１撮像期間Ｔ１１の間、第１映像Ｐ１の「撮像・録画」を実行する。第１撮像期間Ｔ１１は、最初のキー入力が行われた瞬間（時刻ｔ１）から５秒間である。
【００８４】
操作者Ｈ１により部屋番号の入力が開始されると、子機１は、基本案内画像Ｇ０から、図３Ｂに示す第１案内画像Ｇ１に画面表示を遷移させる。表示部１８は、第１案内画像Ｇ１にて部屋番号の１桁が入力される度に出力する。最後に、操作者Ｈ１が子機側操作部１４の呼出ボタンを押すことで部屋番号の入力が確定され、子機１は、制御装置３を介して、呼出先Ｃ１である１０２４号室の親機２にて、呼出を開始させる。すなわち、時刻ｔ２が、所定の期間Ｔ１（呼出）の開始時刻となる。図示例では、第１撮像期間Ｔ１１の終了時刻が呼出の開始時刻ｔ２と同じであるが、通常は、第１撮像期間Ｔ１１の終了時刻の方が、時刻ｔ２より少し先となるかもしれない。なお、子機１は、第１映像Ｐ１を、第１撮像期間Ｔ１１の終了後の時刻ｔ９に、親機２に伝送する。
【００８５】
時刻ｔ２にて、子機１は、第１案内画像Ｇ１から、図４Ａに示す第２案内画像Ｇ２に画面表示を遷移させて、更に「いらっしゃいませ、お名前をお話ください」という第１音声メッセージの出力を行う。表示部１８は、第２案内画像Ｇ２にて「お取次ぎしますので、お名前をお話ください」という案内情報と、第１録音が開始されるまでのカウントダウン情報とを出力する。第２案内画像Ｇ２が出力されている第１案内期間Ｘ１は、例えば５秒間であるため、カウントダウンは、５秒から開始する。
【００８６】
一方、時刻ｔ２にて、親機２では、図６Ａに示すように「ポロロン、ポロロン」という呼出音Ｓ０の出力が開始される。呼出音Ｓ０は、時刻ｔ２〜ｔ３の第１呼出期間ＣＡ１において出力され続ける。また、親機２は、子機１から伝送される第１映像Ｐ１の「受信・録画」を実行する。なお、図２では省略しているが、親機２は、時刻ｔ９〜ｔ１０の間、第１映像Ｐ１を表示している。
【００８７】
そして、子機１は、第１案内期間Ｘ１が終了する時刻ｔ３にて、第２案内画像Ｇ２から、図４Ｂに示す第３案内画像Ｇ３に画面表示を遷移させる。また子機１は、時刻ｔ３にて、第１録音を実行し、第１音データＳ１の「伝送・録音」を開始する。表示部１８は、第３案内画像Ｇ３にて、タイマー画像を表示させることで、第１録音が実行される一定期間（時刻ｔ３〜時刻ｔ４）の残り時間を通知する。上述の通り、親機２の応答がない場合を想定しているため、第１録音が実行される一定期間が、そのまま実行期間Ｔ２となる。仮に操作者Ｈ１が、子機１の案内に従い、「田中です」と発声したとすると、第１音データＳ１は、「田中です」という個人名の音声データのみを含む。操作者Ｈ１が、例えば「田中です、遊びにきました」と発声した場合には、第１音データＳ１は、「田中です」という個人名と「遊びにきました」という用件の２つの音声データを含むことになる。
【００８８】
子機１は、時刻ｔ３〜ｔ４間の時刻ｔ１０にて、第１映像Ｐ１の伝送を終えると、直ちに第２映像Ｐ２の撮像及び伝送を開始する。第２映像Ｐ２の撮像及び伝送は、第２撮像期間Ｔ１２（時刻ｔ１０〜ｔ６）の間継続される。時刻ｔ６は、呼出の終了時刻でもあるため、第２映像Ｐ２の撮像及び伝送は、時刻ｔ１０以降呼出が終わるまで継続される。
【００８９】
一方、時刻ｔ３にて、親機２は、第１音データＳ１の「受信・録音」を開始する。更に、親機２は、時刻ｔ３〜ｔ４の第２呼出期間ＣＡ２において、図６Ｂに示すように「ポロロン、ポロロン」という呼出音Ｓ０を一時的に停止して、「田中です」という第１音データＳ１のみをリアルタイムで出力する。親機２は、「田中です」という個人名に加えて、例えば「遊びにきました」等の用件も出力してもよい。なお、親機２は、時刻ｔ１０から呼出の終了時刻ｔ６まで、第２映像Ｐ２の「受信・録画」を行い、更に、過去の映像である第１映像Ｐ１とリアルタイムの映像である第２映像Ｐ２とを合成して１つの映像を表示し続ける。
【００９０】
時刻ｔ４にて、子機１は、第１録音の実行を終了した時点で、呼出先Ｃ１の呼出が継続されるとき、第３案内画像Ｇ３から、図４Ｃに示す第４案内画像Ｇ４に画面表示を遷移させる。表示部１８は、第４案内画像Ｇ４にて「このままお待ちください」という案内情報を出力する。更に子機１は、「お取次しますのでこのままお待ちください」という第２音声メッセージを確認音として出力する。表示部１８は、時刻ｔ５以降も、呼出の終了時刻ｔ６まで、第４案内画像Ｇ４を出力し続ける。ただし、第２音声メッセージは、時刻ｔ５以降出力されない。なお、時刻ｔ４〜ｔ５は、例えば５秒であり、時刻ｔ５〜ｔ６は、例えば１５秒である。
【００９１】
そして、時刻ｔ４にて、子機１が、第１音データＳ１の「伝送・録音」を終えると、親機２も第１音データＳ１の「受信・録音」を終え、第２呼出期間ＣＡ２も終える。すると、親機２では、時刻ｔ４〜ｔ６の第３呼出期間ＣＡ３が開始される。親機２は、第３呼出期間ＣＡ３にて、図６Ｃに示すように「ポロロン、ポロロン」という呼出音Ｓ０と「田中です」という第１音データＳ１とのセット報知が繰り返される。このセット報知は、呼出の終了時刻ｔ６まで繰り返される。なお、親機２は、第３呼出期間ＣＡ３にて、セット報知ではなく、「田中です」という第１音データＳ１だけを繰り返してもよい。
【００９２】
そして、子機１は、呼出の終了時刻ｔ６になっても親機２からの応答がなければ、第２録音に関する処理を実行する。子機１は、第４案内画像Ｇ４から、図５Ａに示す第５案内画像Ｇ５に画面表示を遷移させて、上の「（２．２．３）第２録音」の欄で説明した通り、第２録音を行うか否かを操作者Ｈ１に選択させる。
【００９３】
第２案内期間Ｘ２内に、操作者Ｈ１が呼出ボタンを押すと、子機１は、第５案内画像Ｇ５から、図５Ｂに示す第６案内画像Ｇ６に画面表示を遷移させて、時刻ｔ７〜ｔ８の一定の期間Ｔ３（例えば１５秒間）の間、第２録音を行う。第６案内画像Ｇ６は、第３案内画像Ｇ３と同様に、第２録音の終了までの残り時間を示すタイマー画像を含む。第２録音が終わると、子機１は、第６案内画像Ｇ６から元の基本案内画像Ｇ０に画面表示を遷移させて、待機状態に移る。また、子機１は、第１録音の一時的な第１音データＳ１を内蔵メモリから消去し、第２録音の第２音データＳ２を、記憶部１６に留守録として記憶する。
【００９４】
一方、第２案内期間Ｘ２内に、操作者Ｈ１が消ボタンを押すか、又は何も押し操作がされなければ、子機１は、第２録音を行わずに元の基本案内画像Ｇ０に画面表示を遷移させて、待機状態に移る。また、子機１は、第１録音の一時的な第１音データＳ１を内蔵メモリから、記憶部１６に留守録として記憶する。
【００９５】
このように本実施形態によれば、第１録音の開始が、呼出中である所定の期間Ｔ１内に行われるので、第１録音により取得した第１音データＳ１（第１音情報）を、より早いタイミングで利用可能となる。したがって、利便性の向上を図ることができる。
【００９６】
特に、子機１の報知部１３０が、呼出中である所定の期間Ｔ１内に、第１音データＳ１（第１音情報）に基づく報知を、呼出先Ｃ１の側で行わせる。そのため、更に利便性の向上を図ることができる。
【００９７】
また、子機１の機能部Ｆ１は、所定の期間Ｔ１の開始をトリガーとして、第１録音を開始するため、呼出より前に第１録音を開始する場合に比べて、時間効率を良くすることができる。
【００９８】
（３）変形例
上記実施形態は、本開示の様々な実施形態の一つに過ぎない。上記実施形態は、本開示の目的を達成できれば、設計等に応じて種々の変更が可能である。また、上記実施形態に係るインターホンシステム１０と同様の機能は、インターホンシステム１０の制御方法、コンピュータプログラム、又はコンピュータプログラムを記録した非一時的記録媒体等で具現化されてもよい。
【００９９】
以下、上記実施形態の変形例を列挙する。以下に説明する変形例は、適宜組み合わせて適用可能である。なお、以下では、上記実施形態を「基本例」と呼ぶこともある。
【０１００】
本開示におけるインターホンシステム１０は、例えば、子機１の子機側制御部１３等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における子機側制御部１３としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０１】
また、子機１における複数の機能が、１つの筐体に集約されていることは子機１に必須の構成ではなく、子機１の構成要素は、複数の筐体に分散して設けられていてもよい。さらに、子機側制御部１３等、子機１の少なくとも一部の機能は、例えば、クラウド（クラウドコンピューティング）等によって実現されてもよい。反対に、上記実施形態のように、子機１の全ての機能が、１つの筐体に集約されていてもよい。
【０１０２】
特に、上述したインターホンシステム１０において、一例として、機能部Ｆ１、報知部１３０、通知部１３１、設定部１３２、及び出力部１３３の機能は、子機１の子機側制御部１３に設けられている。しかし、機能部Ｆ１、報知部１３０、通知部１３１、設定部１３２、及び出力部１３３のうちの少なくとも一部の機能が、親機２の親機側制御部２３、管理室の制御装置３、又は（不図示の）汎用端末等に設けられてもよい。
【０１０３】
（３．１）変形例１
基本例では、子機１の機能部Ｆ１は、第１録音の開始を、呼出中（所定の期間Ｔ１内）に行うものである。しかし、例えば、機能部Ｆ１は、第１録音の開始を、呼出前（所定の期間Ｔ１より前）に行ってもよい。
【０１０４】
図７は、変形例１のインターホンシステム１０の動作を説明するためのタイミング図である。本変形例では、所定の期間Ｔ１が、基本例の所定の期間Ｔ１より短く設定されている。具体的には、本変形例の所定の期間Ｔ１は、基本例の所定の期間Ｔ１から第１呼出期間ＣＡ１と第２呼出期間ＣＡ２とが削除されて、第３呼出期間ＣＡ３のみを含む。また本変形例の所定の期間Ｔ１は、呼出の終了時刻は基本例と同じであるが、呼出の開始時刻を時刻ｔ２から時刻ｔ４に遅らせてある。要するに、本変形例では、呼出の開始時刻を遅らせることで、第１録音の開始が呼出前（所定の期間Ｔ１より前）に設定される。
【０１０５】
この場合、子機１は、時刻ｔ２にて子機側操作部１４の呼出ボタンが押されてから直ちに親機２の呼出を開始するのではなく、一定時間（例えば１０秒）が経過してから呼出を開始する。第１録音の開始は、基本例と同様に、呼出ボタンが押されてから第１案内期間Ｘ１（例えば５秒間）が経過した後である。
【０１０６】
この構成においても、第１録音により取得した第１音データＳ１（第１音情報）を、より早いタイミングで利用可能となる。したがって、利便性の向上を図ることができる。
【０１０７】
なお、図７では、第１映像Ｐ１及び第２映像Ｐ２に関する図示を省略しているが、呼出の開始タイミングの変更に伴って、子機１からの映像の伝送、並びに、親機２における映像の受信及び表示等の開始タイミングも適宜に変更されてもよい。
【０１０８】
また本変形例では、基本例より呼出の開始を遅らせるために、第１呼出期間ＣＡ１と第２呼出期間ＣＡ２の両方が削除されているが、いずれか一方のみを削除して、他方を基本例より短くしてもよい。あるいは、第１呼出期間ＣＡ１と第２呼出期間ＣＡ２の両方とも削除することなく基本例より短く設定してもよい。また、第３呼出期間ＣＡ３のみを基本例より短く設定してもよい。また、基本例の所定の期間Ｔ１の長さを変更することなく呼出の開始時刻と終了時刻の両方を遅らせてもよい。
【０１０９】
（３．２）変形例２
変形例１では、子機１は、子機側操作部１４の呼出ボタンが押し操作を受け付けた時点から第１案内期間Ｘ１（例えば５秒間）の経過後に第１録音を開始し、上記時点から一定時間（例えば１０秒）が経過してから呼出を開始する。
【０１１０】
図８は、変形例２のインターホンシステム１０の動作を説明するためのタイミング図である。本変形例では、子機１は、例えば、部屋番号の入力を確定する最初の呼出ボタンの押し操作を受け付けた時点から第１案内期間Ｘ１の経過後に第１録音を開始し、更にもう１回呼出ボタンの押し操作を受け付けた時点で呼出を開始する。要するに、本変形例では、第１録音の開始と呼出の開始とはリンクしておらず、呼出の開始タイミングは、操作者Ｈ１で任意に変更され得る。図８では、一例として、時刻ｔ２が、部屋番号の入力の確定時刻であり、時刻ｔ４のすぐ後に続く時刻ｔ１１が、呼出の確定時刻である。
【０１１１】
この場合、子機１は、第１録音の終了後（時刻ｔ４）に、表示部１８にて「再度、呼出ボタンを押してください」といった案内情報を含む第７案内画像Ｇ７を出力することが望ましい。
【０１１２】
この構成においても、第１録音により取得した第１音データＳ１（第１音情報）を、より早いタイミングで利用可能となる。したがって、利便性の向上を図ることができる。
【０１１３】
なお、本変形例では、２回の押し操作は、いずれも呼出ボタンへの押し操作であるが、異なるボタンへの押し操作でもよい。例えば１回目の部屋番号の入力を確定する押し操作は、アスタリスクボタンへの押し操作であり、２回目の呼出を確定する押し操作は、呼出ボタンへの押し操作でもよい。
【０１１４】
（３．３）変形例３
基本例、変形例１及び変形例２では、第１録音の開始が、部屋番号の入力を確定する呼出ボタンの押し操作をトリガーとして決定されている。しかし、第１録音の開始は、例えば、子機側操作部１４への操作をトリガーとせずに、センサ１７で来訪者等の人を検出したことをトリガーとして決定されてもよい。
【０１１５】
図９は、変形例３のインターホンシステム１０の動作を説明するためのタイミング図である。子機１は、例えば時刻ｔ０に、センサ１７にて人を検出すると「いらっしゃいませ、ご用件をお話ください」という音声メッセージを出力する。すなわち、第１録音が開始される旨を事前に報知するための第１案内期間Ｘ１が、時刻ｔ０〜ｔ１に設定されている。また子機１は、表示部１８にて「いらっしゃいませ、ご用件をお話ください」という文字案内情報と、第１録音が開始されるまでの時間を示すカウントダウン情報等を含む基本案内画像Ｇ０Ｘを出力する。そして子機１は、時刻ｔ１に、第１録音を開始する。
【０１１６】
この場合、時刻ｔ１の時点では、部屋番号の入力が未だ行われていないため、呼出先Ｃ１が確定していない。したがって、第１音データＳ１の伝送は保留される。子機１は、時刻ｔ１〜ｔ２において、第１録音の残り時間を示すタイマー画像を含む第３案内画像Ｇ３を出力する。
【０１１７】
子機１は、時刻ｔ２〜ｔ３において、部屋番号の入力を催促する基本案内画像Ｇ０を出力する。その後、子機１は、時刻ｔ４にて、部屋番号を確定する呼出ボタンへの押し操作が行われると直ちに、第１音データＳ１の伝送と、親機２の呼出を開始する。
【０１１８】
この構成においても、第１録音により取得した第１音データＳ１（第１音情報）を、より早いタイミングで利用可能となる。したがって、利便性の向上を図ることができる。
【０１１９】
なお、本変形例では、子機側操作部１４を操作する予定がない者が子機１に近づいたときにも、第１録音が開始される可能性がある。そのため、子機１は、例えば、センサ１７で人を検出後、一定時間が過ぎても操作がなければ、第１録音による（音声が入っていない）第１音データＳ１をメモリから破棄することが望ましい。
【０１２０】
（３．４）その他の変形例
基本例では、機能部Ｆ１は、所定の期間Ｔ１内に、操作者Ｈ１に関する情報の取得として第１録音のみを開始する。しかし、機能部Ｆ１は、所定の期間Ｔ１内に、第１録音と平行して録画も開始してもよい。ここで言う録画とは、基本例の第２映像Ｐ２の録画に相当してもよいし、第２映像Ｐ２とは別の映像の録画でもよい。
【０１２１】
変形例１〜３では、機能部Ｆ１は、所定の期間Ｔ１より前に、操作者Ｈ１に関する情報の取得として第１録音のみを開始する。しかし、機能部Ｆ１は、所定の期間Ｔ１より前に、第１録音と平行して録画も開始してもよい。ここで言う録画とは、基本例の第１映像Ｐ１の録画に相当してもよいし、第１映像Ｐ１とは別の映像の録画でもよい。
【０１２２】
基本例では、所定の期間Ｔ１（応答がないときの呼出の最長期間）が３０秒であるが、特に限定されず、例えば６０秒等でもよい。
【０１２３】
基本例では、機能部Ｆ１は、所定の期間Ｔ１の開始から一定の時間の経過後に録音を開始する。しかし、機能部Ｆ１は、所定の期間Ｔ１の開始と同時に録音を開始してもよい。要するに、第１録音が開始される旨を事前に報知するための第１案内期間Ｘ１は、必須ではなく、適宜に省略されてもよい。
【０１２４】
基本例では、子機１は、第１録画の第１音データＳ１と、第２録画の第２音データＳ２のうちいずれか一方だけを留守録データとして記憶部１６に記憶させて、親機２へ転送する。しかし、子機１は、第１音データＳ１と第２音データＳ２の両方を留守録データとして記憶部１６に記憶させて、親機２へ転送してもよい。また子機１は、呼出先Ｃ１の応答の有無に関わらず、第１録画の第１音データＳ１を、来訪者の履歴データとして記憶部１６に記憶させて、親機２へ転送してもよい。
【０１２５】
基本例では、機能部Ｆ１は、第１録音の実行中に、呼出先Ｃ１からの応答があれば、第１録音を中止している。しかし、たとえ第１録音が中止されても、子機１は、それまでに録音した第１音データＳ１を、記憶部１６に記憶させて、親機２へ転送してもよい。例えば、録音中に呼出先Ｃ１の応答があり、最大で５秒間という第１録音の実行期間Ｔ２が２〜３秒となり、第１音データＳ１は、個人名や会社名、団体名、用件等が途中で途切れたデータを含む可能性がある。しかし、子機１は、第１音データＳ１について、内容が欠落した状態であっても、留守録データ又は来訪者の履歴データとして処理してもよい。
【０１２６】
基本例のインターホンシステム１０において、親機２と無線通信可能とする専用のアプリケーションソフトがインストールされた情報端末が含まれてもよい。情報端末は、例えば、住人等の利用者が携帯するスマートフォンでもよい。この場合、親機２は、上記情報端末へ呼出音Ｓ０及び第１音データＳ１を転送し、上記情報端末においても、リアルタイムで呼出が行われる。つまり、上記情報端末においても、基本例の図２における時刻ｔ２に、呼出音Ｓ０が鳴動し、時刻ｔ３に第１音データＳ１が出力され、時刻ｔ４以降呼出音Ｓ０と第１音データＳ１とのセット報知が繰り返される。
【０１２７】
（４）利点
以上説明したように、第１の態様に係るインターホンシステム（１０）は、機能部（Ｆ１）を備える。機能部（Ｆ１）は、所定の期間（Ｔ１）内、又は所定の期間（Ｔ１）よりも前に、呼出先（Ｃ１）を特定するための操作部（子機側操作部１４）に対して操作入力を行う操作者（Ｈ１）に関する情報の取得を開始する。所定の期間（Ｔ１）とは、操作入力に基づいて呼出先（Ｃ１）を呼出中である期間である。情報の取得とは、少なくとも録音を含む。第１の態様によれば、録音の開始が、所定の期間（Ｔ１）内、又は所定の期間（Ｔ１）よりも前に行われるので、録音により取得した音情報（第１音データＳ１）を、より早いタイミングで利用可能となる。したがって、利便性の向上を図ることができる。
【０１２８】
第２の態様に係るインターホンシステム（１０）は、第１の態様において、録音により取得した音情報（第１音データＳ１）に基づく報知を、所定の期間（Ｔ１）内に、呼出先（Ｃ１）の側で行う報知部（１３０）を、更に備えることが好ましい。第２の態様によれば、録音により取得した音情報（第１音データＳ１）の報知を呼出の最中に行うため、更に利便性の向上を図ることができる。
【０１２９】
第３の態様に係るインターホンシステム（１０）に関して、第２の態様において、報知部（１３０）は、録音が実行された実行期間（Ｔ２）が所定の期間（Ｔ１）よりも短いとき、上記報知を繰り返し行うことが好ましい。第３の態様によれば、呼出先（Ｃ１）の利用者（例えば住人）に対する報知性能を向上することができる。
【０１３０】
第４の態様に係るインターホンシステム（１０）に関して、第１の態様〜第３の態様のいずれか１つにおいて、機能部（Ｆ１）は、録音の開始前、又は録音の実行中に、呼出先（Ｃ１）からの応答があれば、録音を中止することが好ましい。第４の態様によれば、録音により費やされる資源（例えば消費電力や音情報を記憶するための記憶エリア）の削減を図ることができる。
【０１３１】
第５の態様に係るインターホンシステム（１０）に関して、第４の態様において、上記応答とは、操作部（子機側操作部１４）から呼出先（Ｃ１）までの経路の途中にあるドア（７）の電気錠装置（７０）の解錠を含むことが好ましい。第５の態様によれば、通話による応答が省略された場合でも、無駄となり得る録音を減らすことができる。
【０１３２】
第６の態様に係るインターホンシステム（１０）は、第１の態様〜第５の態様のいずれか１つにおいて、録音の実行中に録音を行うための残り時間を、操作部（子機側操作部１４）の側において通知する通知部（１３１）を、更に備えることが好ましい。第６の態様によれば、操作者（Ｈ１）は録音が終了するタイミングを知ることができ、利便性が向上する。
【０１３３】
第７の態様に係るインターホンシステム（１０）に関して、第１の態様〜第６の態様のいずれか１つにおいて、機能部（Ｆ１）は、以下の通りであることが好ましい。すなわち、機能部（Ｆ１）は、所定の期間（Ｔ１）内に、呼出先（Ｃ１）からの応答がなかったとき、上記録音である第１録音とは別の第２録音を開始することが好ましい。第７の態様によれば、第２録音を、いわゆる留守録として利用できる。
【０１３４】
第８の態様に係るインターホンシステム（１０）は、第７の態様において、記憶部（１６）を、更に備えることが好ましい。記憶部（１６）は、第２録音が実行されたとき、第２録音により取得した第２音情報（第２音データＳ２）を記憶することが好ましい。また記憶部（１６）は、第２録音（第２音データＳ２）が実行されなかったとき、第１録音により取得した第１音情報（第１音データＳ１）を記憶することが好ましい。第８の態様によれば、第２録音が実行されなくても、第１録音を第２録音の代わりに留守録として利用できる。
【０１３５】
第９の態様に係るインターホンシステム（１０）は、第１の態様〜第８の態様のいずれか１つにおいて、録音を行うか否かの設定変更に関する設定入力を受け付ける設定部（１３２）を、更に備えることが好ましい。第９の態様によれば、インターホンシステム（１０）の設置環境又は要望等に応じて、録音機能の有効、無効を設定できる。
【０１３６】
第１０の態様に係るインターホンシステム（１０）は、第９の態様において、録音により取得した音情報（第１音データＳ１）に基づく報知を、呼出先（Ｃ１）の側で行う報知部（１３０）を、更に備えることが好ましい。設定部（１３２）は、上記報知を行うか否かの設定変更に関する設定入力を更に受け付けることが好ましい。第１０の態様によれば、インターホンシステム（１０）の設置環境又は要望等に応じて、報知機能の有効、無効を設定できる。
【０１３７】
第１１の態様に係るインターホンシステム（１０）は、第１の態様〜第１０の態様のいずれか１つにおいて、出力部（１３３）を、更に備えることが好ましい。出力部（１３３）は、操作部（子機側操作部１４）の側において、呼出先（Ｃ１）を呼出中であることを知らせる確認音を出力することが好ましい。出力部（１３３）は、録音の実行が終了した時点で呼出先（Ｃ１）の呼出が継続されるときに確認音の出力を開始することが好ましい。第１１の態様によれば、操作者（Ｈ１）は、録音の実行は終了した一方で呼出は継続しているという現在の状況を知ることができ、利便性が向上する。
【０１３８】
第１２の態様に係るインターホンシステム（１０）に関して、第１の態様〜第１１の態様のいずれか１つにおいて、機能部（Ｆ１）は、所定の期間（Ｔ１）の開始をトリガーとして、録音を開始することが好ましい。第１２の態様によれば、呼出中に録音を開始するため、呼出より前に録音を開始する場合に比べて、時間効率を良くすることができる。
【０１３９】
第１３の態様に係るインターホンシステム（１０）に関して、第１の態様〜第１２の態様のいずれか１つにおいて、情報の取得とは、録画を更に含むことが好ましい。第１３の態様によれば、呼出先の利用者（例えば住人）は、録音と録画の両方により操作者（Ｈ１）に関する情報を知ることができ、更に利便性を向上することができる。
【０１４０】
第１４の態様に係る制御方法は、インターホンシステム（１０）の制御方法である。制御方法は、所定の期間（Ｔ１）内、又は所定の期間（Ｔ１）よりも前に、呼出先（Ｃ１）を特定するための操作部（子機側操作部１４）に対して操作入力を行う操作者（Ｈ１）に関する情報の取得を開始する機能ステップを含む。所定の期間（Ｔ１）とは、操作入力に基づいて呼出先（Ｃ１）を呼出中である期間である。情報の取得とは、少なくとも録音を含む。第１４の態様によれば、利便性の向上を図ることが可能な制御方法を提供できる。
【０１４１】
第１５の態様に係るプログラムは、コンピュータシステムに第１４の態様における制御方法を実行させる。第１５の態様によれば、利便性の向上を図ることが可能な機能を提供できる。
【０１４２】
第２〜１３の態様に係る構成については、インターホンシステム（１０）に必須の構成ではなく、適宜省略可能である。
【符号の説明】
【０１４３】
１０  インターホンシステム
１４  子機側操作部（操作部）
１６  記憶部
１３０  報知部
１３１  通知部
１３２  設定部
１３３  出力部
７  ドア
７０  電気錠装置
Ｃ１  呼出先
Ｆ１  機能部
Ｈ１  操作者
Ｓ１  第１音データＳ１（第１音情報）
Ｓ２  第２音データＳ２（第２音情報）
Ｔ１  所定の期間
Ｔ２  実行期間
【図１】
2019193234.tif 000003
【図２】
2019193234.tif 000004
【図３】
2019193234.tif 000005
【図４】
2019193234.tif 000006
【図５】
2019193234.tif 000007
【図６】
2019193234.tif 000008
【図７】
2019193234.tif 000009
【図８】
2019193234.tif 000010
【図９】
2019193234.tif 000011